(57)【特許請求の範囲】
【請求項１】
脚頭部に開脚自在に取り付けられた各脚部が、前記脚頭部に対して上部が回動自在に支持された固定脚と、同固定脚に対して脚の長手方向に沿ってスライド移動自在に支持された可動脚とから構成され、固定脚に対して可動脚を所望の相対的位置で固定保持するための固定装置が設けられた測量機用三脚において、
前記固定装置を、固定脚又は可動脚のうちいずれか一方の脚において他方の脚に当接係合する固定位置と前記他方の脚から離間する解放位置との間で移動可能に支持された固定保持部材と、同固定保持部材における前記他方の脚とは反対側の部位に作用部が摺接する偏心レバーと、少なくとも前記固定保持部材を前記他方の脚から離間する方向に向けて付勢する付勢手段とを備えて構成し、前記偏心レバーの回動操作に基づき前記作用部が前記付勢手段の付勢力に抗して固定保持部材を固定位置側へ押圧するようにしたことを特徴とする測量機用三脚。
【請求項２】
前記偏心レバーの作用部は、前記固定保持部材を固定位置において移動規制する移動規制部と、前記固定保持部材の固定位置からの移動を許容する移動許容部とが連続形成されたものである請求項１に記載の測量機用三脚。
【請求項３】
前記付勢手段の付勢力を調節可能なアジャスタが設けられている請求項１又は請求項２に記載の測量機用三脚。
【請求項４】
前記偏心レバーは、レバー本体と作用部を有する作用体とが別部材構成とされ、前記作用体がレバー本体に対して着脱交換可能とされている請求項１〜請求項３のうち何れか一項に記載の測量機用三脚。
【発明の詳細な説明】
【０００１】
【発明の属する技術分野】
本発明は、測量機を搭載する測量機用三脚に関するものである。
【０００２】
【従来の技術】
従来、この種の測量機用三脚としては、脚部に蝶ねじ式あるいはレバー式の固定装置を備え、上部側の固定脚に対して下部側の可動脚をスライド移動可能とし、前記固定装置の操作に基づき脚部を伸縮調節可能に設けたものが知られている。
【０００３】
例えば、図７に示すように、レバー式の固定装置を備えた測量機用三脚では、各脚が一対の平行な固定脚パイプ５１と、両固定脚パイプ５１間に配置されて上下方向にスライド移動自在に支持された可動脚パイプ５２とから構成されている。そして、各可動脚パイプ５２の上端部には同可動脚パイプ５２を前記固定脚パイプ５１に対して所望の相対的位置で固定保持するためのレバー式の固定装置５３が設けられている。
【０００４】
前記固定装置５３は、両端部に折り曲げ部５４を有する一対のプレート５５を備えており、その両プレート５５は互いの内面同士が前記固定脚パイプ５１及び可動脚パイプ５２を挟んで対向するように配置されている。そして、前記両プレート５５及び可動脚パイプ５２を貫通するように挿入支持されたクランプボルト５６の一方の突出端にはナット５７が螺着される一方、他方の突出端には手動操作される偏心レバー５８の作用部５９が支持軸６０を介して回動可能に支持されている。即ち、回動操作される偏心レバー５８の作用部５９によりプレート５５が押圧されることで折り曲げ部５４が固定脚パイプ５１の外周面に圧接され、その際の摩擦抵抗によって可動脚パイプ５２が固定されるようになっている。
【０００５】
従って、この従来の三脚では、図７（ｃ）に示すように偏心レバー５８を水平方向に回動させれば、前記プレート５５における各折り曲げ部５４の固定脚パイプ５１に対する圧接状態が解除され、固定装置５３が解放状態とされるため、可動脚パイプ５２を固定脚パイプ５１に対し上下方向へスライド移動させて脚の高さを調節できる。そして、その後、偏心レバー５８を下方に回動させれば、各折り曲げ部５４が固定脚パイプ５１に対して圧接し、固定装置５３が固定状態とされるため、図７（ａ）、（ｂ）に示す可動脚パイプ５２を固定脚パイプ５１に対して所望の相対的位置で固定できる。
【０００６】
【発明が解決しようとする課題】
ところで、図７に示した従来の三脚では、固定装置５３が解放状態にある時には、図７（ｃ）に示すように偏心レバー５８の作用部５９とプレート５５との間、及び折り曲げ部５４と固定脚パイプ５１の外周面との間にはそれぞれ隙間が形成されていた。そのため、可動脚パイプ５２のスライド移動に伴って偏心レバー５８が上下に回動してがたついたり、プレート５５やクランプボルト５６が左右に振動するという問題があった。特に、プレート５５の振動により折り曲げ部５４が固定脚パイプ５１に当接して引っかかった場合等には、脚部のスムーズな伸縮動作を行うことができないという問題もあった。
【０００７】
また、従来の三脚の固定装置５３では、固定状態と解放状態とに切り換えが可能ではあるものの、伸縮動作時における固定脚パイプ５１の外周面とプレート５５の折り曲げ部５４内面との摩擦抵抗を調整することができなかった。例えば、測量機が搭載された三脚を立脚した状態で、ある脚を固定状態から解放状態に切り換えた場合には、可動脚パイプ５２が自重により瞬時に伸縮動作されて三脚のバランスが崩れて倒れてしまう虞がある。このため、一方の手で固定脚パイプ５１を保持して三脚のバランスを保ちながら、他方の手で可動脚パイプ５２を所定位置まで移動させて、更に偏心レバー５８を回動操作して固定保持しなければならず、脚の高さの微調節には困難を伴うという問題があった。
【０００８】
本発明は前記各問題を解決するためになされたものであって、その目的は、脚部の伸縮動作時における固定保持部材や偏心レバー等のがたつきを防止して、固定脚に対する固定保持部材の摩擦抵抗を調整可能な測量機用三脚を提供することにある。
【０００９】
【課題を解決するための手段】
上記目的を達成するために、請求項１に記載の発明は、固定装置を、固定脚又は可動脚のうちいずれか一方の脚において他方の脚に当接係合する固定位置と前記他方の脚から離間する解放位置との間で移動可能に支持された固定保持部材と、同固定保持部材における前記他方の脚とは反対側の部位に作用部が摺接する偏心レバーと、少なくとも前記固定保持部材を前記他方の脚から離間する方向に向けて付勢する付勢手段とを備えて構成し、前記偏心レバーの回動操作に基づき前記作用部が前記付勢手段の付勢力に抗して固定保持部材を固定位置側へ押圧するようにしたことを要旨としている。
【００１０】
また、請求項２に記載の発明は、請求項１に記載の発明において、前記偏心レバーの作用部は、前記固定保持部材を固定位置において移動規制する移動規制部と、前記固定保持部材の固定位置からの移動を許容する移動許容部とが連続形成されたものであることを要旨としている。
【００１１】
請求項３に記載の発明は、請求項１又は請求項２に記載の発明において、前記付勢手段の付勢力を調節可能なアジャスタが設けられていることを要旨としている。
【００１２】
請求項４に記載の発明は、請求項１〜請求項３のうち何れか一項に記載の発明において、前記偏心レバーは、レバー本体と作用部を有する作用体とが別部材構成とされ、前記作用体がレバー本体に対して着脱交換可能とされていることを要旨としている。
【００１３】
【発明の実施の形態】
（第１実施形態）
以下、本発明を測量機用三脚に具体化した第１実施形態を、図１〜図３に基づき説明する。
【００１４】
図１に示すように、本実施形態に係る測量機用三脚１１は、図示しない測量機が搭載される脚頭部１２と、同脚頭部１２に対して開脚自在に取り付けられた３本の脚１３を有している。各脚１３はアルミ押し出し材からなり、一対の平行な固定脚パイプ１４と、その固定脚パイプ１４間に配置されて上下方向にスライド移動自在に支持された可動脚パイプ１５とから構成されている。固定脚パイプ１４の上下両端にはベルト通し穴１６を有する取付け部材１７がそれぞれ装着され、各対の固定脚パイプ１４の間隙は一定に保持されている。また、各可動脚パイプ１５の上端部にはキャップ１８が嵌め込まれており、そのキャップ１８の下方近傍位置には固定脚パイプ１４に対して可動脚パイプ１５を所望の相対的位置で固定保持するための固定装置１９が設けられ、下端部には石突き２０が設けられている。
【００１５】
なお、キャップ１８の両側部には、円弧状凹部（図示しない）が形成されている。そして、各脚１３を伸縮する際には、前記円弧状凹部の内面と固定脚パイプ１４の外周面とが密接してスライドするためがたつきが抑制され、また、最大伸長位置で固定装置１９が取付け部材１７に当たって移動規制されるため、可動脚パイプ１５は固定脚パイプ１４から抜け落ちることがない。
【００１６】
図１及び図２に示すように、前記固定装置１９は、偏心レバー２１と、固定保持部材としての両端部に折り曲げ部２２を有する一対のプレート２３、クランプボルト２４及びナット２５から構成されている。偏心レバー２１は、その基端部にプレート２３に摺接する作用部２６を有し、基端部内側の偏心位置には支持軸用の軸孔（図示しない）が穿設され、また、その軸孔と直交するようにレバー２１の厚さ方向中央位置には切り込み２７が形成されている。クランプボルト２４の一端には、偏心レバー２１の切り込み２７に挿入し得る突片２４ａが形成され、この突片２４ａの側面にも支持軸用の軸孔（図示しない）が穿設されている。そして、このクランプボルト２４の一端において、手動操作される偏心レバー２１の作用部２６が前記各軸孔に挿通された支持軸２８を介して回動自在に支持されている。
【００１７】
なお、前記偏心レバー２１の作用部２６は、プレート２３を固定位置において移動規制する移動規制部２６ａと、前記プレート２３の固定位置からの移動を許容する移動許容部２６ｂとが連続形成されている。また、移動規制部２６ａが平面状に、移動許容部２６ｂが円弧状に形成されているため、偏心レバー２１の回動操作に基づいて、作用部２６が固定位置から解放位置へ滑らかに連続回動する。
【００１８】
そして、この固定装置１９は、両プレート２３の内面同士を固定脚パイプ１４及び可動脚パイプ１５を挟んで対向するように配置して、前記両プレート２３及び可動脚パイプ１５を貫通するように挿入支持されたクランプボルト２４の他端にナット２５を螺着することにより、可動脚パイプ１５に支持されている。
【００１９】
さらに、偏心レバー２１側のプレート２３の内面と可動脚パイプ１５の外周面との間には、付勢手段としてのばね３０が介装されている。このため、プレート２３はばね３０により可動脚パイプ１５から離間する方向に付勢されて、常に偏心レバー２１の作用部２６に当接するように押圧されている。よって、解放状態にある偏心レバー２１もプレート２３を介してばね３０により強制的に押圧保持され、プレート２３に形成された折り曲げ部２２と固定脚パイプ１４の外周面との間には隙間が形成されて、折り曲げ部２２と固定脚パイプ１４とは互いに非当接状態に保持される。
【００２０】
次に、上記のように構成された測量機用三脚の作用を図３に従って説明する。図３（ａ）は固定装置１９の解放状態を示し、偏心レバー２１における支持軸２８の中心から作用部２６とプレート２３との当接点までの距離Ｌ１は最も短く、かつ、ばね３０により付勢されているため両プレート２３間の間隔は最も長くなっている。また、既述したとおり、折り曲げ部２２は固定脚パイプ１４に対して離間された非当接状態にある。従って、この状態では可動脚パイプ１５を固定脚パイプ１４に対しスライド移動させて脚１３の高さを調節できる。
【００２１】
次に、この水平位置に保持されている偏心レバー２１を下方に約４５度回動操作すると、図３（ｂ）に示すように、支持軸２８の中心から作用部２６とプレート２３との当接点までの距離Ｌ２が少し長くなって、作用部２６がばね３０の付勢力に抗してプレート２３を押圧すると共に、両プレート２３間の間隔が短くなって折り曲げ部２２が固定脚パイプ１４の外周面を挟着する。従って、この状態では可動脚パイプ１５が固定脚パイプ１４に対して半固定状態で保持される。
【００２２】
ちなみに、半固定状態とは、折り曲げ部２２が固定脚パイプ１４の外周面に軽く圧接することにより、その折り曲げ部２２に適度な摩擦抵抗が付加されるため、例えば測量機を搭載した三脚１１を立脚した状態においても、脚１３の長さはその自重により伸縮変化することなく、つまり所定以上の外的な力を加えない限り伸縮変化されない状態をいう。
【００２３】
さらに、図３（ｃ）に示す位置までレバー２１を回動操作すると、支持軸２８の中心から作用部２６とプレート２３との当接点までの距離Ｌ３は最大となると共に、両プレート２３間の間隔は最も短くなって折り曲げ部２２が固定脚パイプ１４を強固に挟着する。従って、この固定状態においては、可動脚パイプ１５が固定脚パイプ１４に対して完全に固定保持されて、脚１３の伸縮動作は不可能となる。この時、作用部２６に形成された移動規制部２６ａがプレート２３に対して面接触することにより、可動脚パイプ１５は固定位置に安定して保持される。
【００２４】
従って、上記した本実施形態の測定機用三脚１１によれば次のような効果を奏する。
（１）固定装置１９における偏心レバー２１が半固定、解放状態にある場合でも、ばね３０により可動脚パイプ１５から離間する方向に付勢保持されているので、脚１３の伸縮動作時におけるプレート２３や偏心レバー２１等のがたつきを防止することができる。
【００２５】
（２）しかも、本実施形態の測定機用三脚１１の場合は、偏心レバー２１の回動角度を変更することによりプレート２３の固定脚パイプ１４に対する挟着力を適宜変更できるので、固定脚パイプ１４に対して可動脚パイプ１５を固定保持するためのプレート２３の摩擦抵抗を調整することができる。即ち、脚１３の伸縮時において最適な挟着力を確保でき、円滑な伸縮作業ができる。特に、微調節作業が容易である。
【００２６】
（３）偏心レバー２１の作用部２６には、移動規制部２６ａと移動許容部２６ｂとが連続形成されているため、プレート２３に対する摺接状態において、偏心レバー２１は固定位置から解放位置へ滑らかに連続回動して、摩擦抵抗を無段階で調節することができ、脚１３の高さの微調節に有効に機能する。
【００２７】
（第２実施形態）
次に、本発明の第２実施形態を図４に基づき説明する。
さて、本実施形態における測量機用三脚１１は、図４に示すように、プレート２３とばね３０との間にアルミニウム製のアジャスタ３１を設けた構成としている点で第１実施形態とは異なる。アジャスタ３１は、偏心レバー２１の作用部２６を可動脚パイプ１５から離間する方向に向けて付勢しているばね３０の付勢力を調整するために設けられている。同アジャスタ３１は環状またはＣ形状に形成され、プレート２３とばね３０との間で、クランプボルト２４に装着されている。
【００２８】
また、偏心レバー２１側のプレート２３の外面には、前記アジャスタ３１と略同形状に形成された樹脂製の消耗防止プレート３２が、クランプボルト２４に装着されている。消耗防止プレート３２を設けたので偏心レバー２１の作用部２６が摺接回動される際の磨耗による消耗防止が図れ、固定及び解放状態を確実にすることができる。
【００２９】
従って、上記した本実施形態の測定機用三脚によれば、前記実施形態の効果に加え、次のような効果を奏する。
（４）プレート２３とばね３０との間にアジャスタ３１を設けたため、ばね３０の付勢力を調節することができる。
【００３０】
（５）また、消耗防止プレート３２を装着することにより、作用部２６の磨耗を防止することができ、プレート２３の損傷を防止できる。
（第３実施形態）
次に、本発明の第３実施形態を図５に基づき説明する。
【００３１】
図５に示すように、本実施形態の測量機用三脚における偏心レバー２１は、レバー本体２１ｂと作用部２６を有する作用体２１ａとが別部材から構成されている。なお、この作用体２１ａは交換用のパーツとして、アルミニウム合金あるいは樹脂（ポリアミド等）から平断面二股状に形成されている。このため、前記作用体２１ａの作用部２６が磨耗した場合には、当該作用体２１ａをレバー本体２１ｂから取り外して、新たな作用体２１ａをレバー本体２１ｂに差し込んで装着すればよく、従来のように偏心レバー２１全体を交換する必要がない。
【００３２】
従って、上記した本実施形態の測定機用三脚によれば、前記実施形態の効果に加え、次のような効果を奏する。
（６）偏心レバー２１は、レバー本体２１ｂと作用部２６を有する作用体２１ａとが別部材構成とされ、前記作用体２１ａがレバー本体２１ｂに対して着脱交換可能とされているため、作用部２６が磨耗した場合でも偏心レバー２１全体を交換する必要がなく製造コストを低減できる。また、長期間にわたって安定して使用することができる。
【００３３】
（７）偏心レバー２１の製造において、耐磨耗性あるいは強度が必要な場合に応じて、作用体２１ａに使用する材料を選択して製造することができる。
なお、前記実施形態は次のような別例に変更して具体化することもできる。
【００３４】
・  図６に示すように、偏心レバー２１の作用部２６に面取りを行って、複数の平面部３３を連続形成してもよい。このようにすれば、面接触により確実にプレート２３を押圧できると共に、段階的に伸縮抵抗を調節することができる。
【００３５】
・  付勢手段としてはばね３０の他に、ゴム又は合成樹脂からなる弾性部材やスプリングワッシャを用いてもよい。
・  厚さの異なる複数のアジャスタ３１を設け、付勢力を段階的に調節することも可能である。
【００３６】
・  前記実施形態では、固定装置１９を可動脚パイプ１５に設ける構成としたが、該固定装置１９を固定脚パイプ１４に設ける構成とし、可動脚パイプ１５を所望の相対的位置で固定保持するようにしてもよい。
【００３７】
・  前記実施形態では、偏心レバー２１が上下方向に回動する構成としたが、該偏心レバー２１が水平方向に回動操作する構成としてもよい。
・  また、固定脚パイプ１４あるいは可動脚パイプ１５を角状パイプで構成してもよい。
【００３８】
・  木製あるいはカーボンパイプ等からなる脚１３を採用したり、真鍮あるいは鉄製のアジャスタ３１を用いてもよい。
・  前記実施形態では、固定保持部材としては両端に折り曲げ部２２を有する一対のプレート２３を用いて固定脚パイプ１４に対する摩擦抵抗で固定保持する構成としたが、固定保持部材として１つの部材からなる環状部材あるいは略Ｃ形状に折り曲げ形成されたプレートを適用し、固定脚に対する摩擦抵抗で固定保持する構成としてもよい。
【００３９】
次に、前記実施形態から把握される請求項以外の技術的思想について、それらの効果とともに以下に記載する。
（１）請求項１〜４のいずれかに記載の測量機用三脚において、固定保持部材と偏心レバーとの間に消耗部材を設けたことを特徴とする測量機用三脚。このようにすれば、従来タイプに比較して偏心レバーの磨耗を防止することができ、固定保持部材が損傷することもない。
【００４０】
（２）請求項１〜４のいずれかに記載の測量機用三脚において、前記偏心レバーの作用部には複数の平面部が連続形成されていることを特徴とする測量機用三脚。このようにすれば、伸縮抵抗を段階的に調節することができ、また、回動角度に応じて所定の伸縮抵抗に設定することができる。
【００４１】
【発明の効果】
以上詳述したように、本発明によれば、脚部の伸縮動作時における固定保持部材や偏心レバー等のがたつきが防止でき、また、固定脚に対する固定保持部材の摩擦抵抗を調整することができるという優れた効果を奏する。
【図面の簡単な説明】
【図１】第１実施形態の測量機用三脚の正面図。
【図２】同じく測量機用三脚の固定装置を示す部分断面図。
【図３】同じく測量機用三脚の固定装置における（ａ）は解放状態、（ｂ）は半固定状態、（ｃ）は固定状態を示す部分断面図。
【図４】第２実施形態の測量機用三脚の固定装置を示す部分断面図。
【図５】第３実施形態の測量機用三脚の偏心レバーを示す分解図。
【図６】別例に示す偏心レバーの正面図。
【図７】（ａ）は従来の測量機用三脚の固定状態の固定装置を示す部分断面図、（ｂ）は（ａ）の部分平断面図、（ｃ）は同じく測量機用三脚の解放状態の固定装置を示す部分断面図。
【符号の説明】
１１…測量機用三脚、１２…脚頭部、１３…脚、１４…固定脚パイプ、１５…可動脚パイプ、１９…固定装置、２１…偏心レバー、２１ａ…作用体、２１ｂ…レバー本体、２２…折り曲げ部、２３…プレート、２４…クランプボルト、２５…ナット、２６…作用部、３０…ばね、３１…アジャスタ。
【図１】
0003576091.tif 000002
【図２】
0003576091.tif 000003
【図３】
0003576091.tif 000004
【図４】
0003576091.tif 000005
【図５】
0003576091.tif 000006
【図６】
0003576091.tif 000007
【図７】
0003576091.tif 000008